(57)【要約】【課題】主として医療器具や皮膚面に貼り付けられる伸縮性粘着包帯に関するもので、詳しくは、医療分野や衛生分野などにおいて用いられる伸縮性粘着包帯であって、屈曲部や湾曲部、医療器具の固定（カテーテルの固定など）、水濡れしやすい患部の保護などに用いることができる伸縮性粘着包帯を提供するものである。【解決手段】布基材の片面に粘着剤層および剥離ライナーが順次積層され、ロール状に巻回されてなる伸縮性粘着包帯（但し、挿管チューブ固定用の伸縮性粘着包帯は除く）であって、剥離ライナーを剥離した粘着包帯は、幅方向の定荷重伸び率が長さ方向の定荷重伸び率よりも大きく、長さ方向の伸び率が０．５Ｎ／５ｍｍ幅の荷重条件下で２２〜４２％である伸縮性粘着包帯である。【選択図】  なし【特許請求の範囲】
【請求項１】
布基材の片面に粘着剤層および剥離ライナーが順次積層され、ロール状に巻回されてなる伸縮性粘着包帯（但し、挿管チューブ固定用の伸縮性粘着包帯は除く）であって、剥離ライナーを剥離した粘着包帯は、幅方向の定荷重伸び率が長さ方向の定荷重伸び率よりも大きく、長さ方向の伸び率が０．５Ｎ／５ｍｍ幅の荷重条件下で２２〜４２％であることを特徴とする伸縮性粘着包帯。
【請求項２】
０．５Ｎ／５ｍｍ幅の荷重条件下での幅方向の伸び率が、２２〜１２０％である請求項１記載の伸縮性粘着包帯。
【請求項３】
幅方向の破断伸び率が、長さ方向の破断伸び率よりも大きい請求項１記載の伸縮性包帯。
【請求項４】
布が編布である請求項１記載の伸縮性粘着包帯。
【請求項５】
布基材を構成する繊維がポリエステル、ポリウレタン、ナイロン、ビニロン、ポリエチレン、ポリプロピレン、綿から選ばれる少なくとも一種の低吸水性繊維である請求項１記載の伸縮性粘着包帯。
【発明の詳細な説明】
【技術分野】
【０００１】
本発明は、主として医療器具や皮膚面に貼り付けられる伸縮性粘着包帯に関するもので、詳しくは、医療分野や衛生分野などにおいて用いられる伸縮性粘着包帯であって、屈曲部や湾曲部、医療器具の固定（カテーテルの固定など）、水濡れしやすい患部の保護などに用いることができる伸縮性粘着包帯を提供するものである。
【背景技術】
【０００２】
一般に医療分野や衛生分野などで用いられ、皮膚面に貼付使用される粘着包帯としては、布基材面に粘着剤層を形成したものが使用されており、貼付部位の動きを拘束するためには非伸縮性基材を用いた粘着包帯が用いられている。一方、貼付部位が屈曲部や湾曲部などの皮膚面が伸縮するような部位に貼付する場合は、貼付部位を固定すると共に、皮膚の動きに適度に追従する必要もあるので、伸縮性基材を用いた粘着包帯が用いられている。
【０００３】
後者の伸縮性粘着包帯として実際に上市されている伸縮性粘着包帯は、長さ方向に伸縮性を有するが幅方向には伸縮性を有さないか、もしくは僅かな伸縮性を有する基材を用いたものがほとんどである。これら従来からの伸縮性粘着包帯で医療器具や皮膚面に貼付すると、粘着包帯を長さ方向に適度に伸長させて貼付するので、貼付後の粘着包帯が元の長さに戻ろうとする応力と、皮膚面への粘着固定する皮膚接着力とのバランスで確実な固定を行なうことができるのである。（特許文献１参照）
【先行技術文献】
【特許文献】
【０００４】
【特許文献１】特開昭６２−２５２４９５号公報
【発明の概要】
【発明が解決しようとする課題】
【０００５】
しかしながら、長さ方向のみに伸縮性を有する粘着包帯を用いて、特にカテーテル固定などの医療器具を貼付固定する場合には、確実に医療器具を固定しなければならないと共に、皮膚面の動きに適度に追従しなければならない。ところが、幅方向への伸縮性が少ないと動きに追従しない結果、粘着包帯が剥離、脱落を生じる可能性もある。また、皮膚面は伸縮したり皺が寄ったりすることによって粘着包帯による引張応力を緩和しているが、伸縮しにくい粘着包帯を用いた場合は貼付部位の皮膚の動きは拘束されているために、貼付部位周辺の皮膚に過剰な応力が加わり、長時間の貼付ではカブレや水泡の発生も危惧される。
【課題を解決するための手段】
【０００６】
本発明者らは上記従来の伸縮性粘着包帯が有する課題を解決するために鋭意検討を重ねた結果、伸縮性粘着包帯を構成する布基材を長さ方向と幅方向の両方向に伸びる基材にすると共に、幅方向の定荷重伸び率が長さ方向の定荷重伸び率よりも大きくし、長さ方向の伸び率を比較的小さい特定範囲の伸び率にすることによって、上記課題を解決できることを見い出し、本発明を完成するに至った。
【０００７】
即ち、本発明は、布基材の片面に粘着剤層および剥離ライナーが順次積層され、ロール状に巻回されてなる伸縮性粘着包帯（但し、挿管チューブ固定用の伸縮性粘着包帯は除く）であって、剥離ライナーを剥離した粘着包帯は、幅方向の定荷重伸び率が長さ方向の定荷重伸び率よりも大きく、長さ方向の伸び率が０．５Ｎ／５ｍｍ幅の荷重条件下で２２〜４２％であることを特徴とする伸縮性粘着包帯を提供するものである。
【発明の効果】
【０００８】
本発明の伸縮性粘着包帯によれば、幅方向の定荷重伸び率が長さ方向の定荷重伸び率よりも大きく、長さ方向の伸び率が０．５Ｎ／５ｍｍ幅の荷重条件下で２２〜４２％にしているので、貼付する皮膚面の全方向の動きに対して充分に追従するものであり、カブレや水泡などの皮膚障害を生じにくいものである。さらに、カテーテルなどの医療器具を固定する場合でも、確実に固定するだけでなく皮膚面の動きに対して適度に伸縮追従することができるので、粘着包帯の剥離や脱落も生じにくいという優れた効果を発揮するものである。また、布基材を用いているので通気性に優れ、皮膚障害を起こしにくく、低吸水性繊維から得られる布基材を用いた場合には、繊維自体が吸水しないので撥水効果も付与できるので、入浴などで水漏れしやすい患部への使用にも効果的である。
【発明を実施するための形態】
【０００９】
本発明の伸縮性粘着包帯は、布基材の片面に粘着剤層を形成し、粘着剤層表面を剥離ライナーで被覆保護したものであって、長尺状の形状も粘着包帯をロール状に巻回したものである。
【００１０】
本発明の伸縮性粘着包帯を構成する布基材としては、長さ方向および幅方向に伸縮性を有するものであるが、従来から提供されている粘着包帯とは異なり、長さ方向および幅方向に伸縮する全方向伸縮性を有するが、長さ方向の伸縮性よりも幅方向の伸縮性が大きいことが特徴である。具体的には、布基材の片面に粘着剤層を形成した粘着包帯の形態において、定荷重条件下での幅方向の伸び率が長さ方向の伸び率よりも大きく、０．５Ｎ／５ｍｍ幅荷重の条件下での長さ方向の伸び率が２２〜４２％、好ましくは２２〜３０％であることを特徴とするものである。長さ方向の伸び率が２２％に満たない場合は、皮膚に貼付した際に、皮膚の動きに伴う突っ張り感が強くなる傾向を示し、４２％を超えると抜管長さが１０ｍｍを超える傾向を示すので、本発明の効果を発揮しがたくなる。
【００１１】
また、本発明においては幅方向の伸び率は長さ方向の伸び率よりも大きくする必要があるが、具体的には０．５Ｎ／５ｍｍ幅荷重条件下で２２〜１２０％の範囲、好ましくは２２〜８０％とすることが望ましい。
【００１２】
さらに、定荷重条件下ではなく破断時での伸び率も幅方向の方が長さ方向よりも大きいことが好ましく、破断伸び率（最大伸び率）としては、幅方向で２００〜６００％、長さ方向で１００〜２００％程度の値に調整することが好ましい。なお、破断強度としては使用時に粘着包帯にかかる荷重に対する耐久性や操作性の点から、幅方向で５〜５０Ｎ／５ｍｍ幅、長さ方向で５〜５０Ｎ／５ｍｍ幅の強度を有するように調整することが好ましい。
【００１３】
上記本発明の伸縮性粘着包帯における布基材としては、織布、編布、不織布など限定されるものではないが、本発明の特徴である特定の伸縮性を付与するためには編布を用いることが好ましい。また、編布としてはトリコット編、ラッシェル編、ミラニーズ編を含むタテメリヤス、および平型編、円形編を含むヨコメリヤスなどで作製した編布を用いることができ、これらのうち幅方向の伸縮性が長さ方向の伸縮性を上回るように調製する点から、ヨコメリヤスを用いることが好ましい。
【００１４】
布基材を構成する経糸および緯糸の材質としては特に限定されず、ポリエステルや、ポリウレタン、ナイロン、ビニロン、ポリエチレン、ポリプロピレン、綿などからなる繊維を用いることができるが、これらのうち、粘着包帯に撥水性を付与するためには低吸水性繊維であるポリエステルや、ナイロン、ビニロン、ポリエチレン、ポリプロピレンを用いることが好ましく、特にポリエステル繊維を用いることが、吸水性が低くて機械的強度も大きいので好ましいものである。
【００１５】
さらに経糸や緯糸としての繊維の太さは、布基材に付与する通気性や伸縮性などの観点から、１００デニール以下、好ましくは５０デニール以下とし、機械的強度の維持、適度な水分輸送能、布基材と粘着剤層との密着性などの点から、５デニール以上とすることが好ましい。なお、布基材の厚さは限定されるものではないが、貼付操作性や違和感の防止の点からは１０〜１５０μｍ、好ましくは２０〜７５μｍ程度の厚みに調整することが望ましい。
【００１６】
本発明の伸縮性粘着包帯において上記布基材の片面に形成される粘着剤層は、医療器具や皮膚面に粘着固定できるだけの充分な接着力を有すると共に、布基材の伸縮性や皮膚面の動きに対しても充分に追従できるだけの接着力を有するものである。具体的には、室温下で対ベークライト板に対する接着力試験において、２〜６Ｎ／２０ｍｍ幅、好ましくは、３〜５Ｎ／２０ｍｍ幅の接着力を発揮するものが望ましい。
【００１７】
このような接着力を発揮する粘着剤としては、特に限定されないが、アクリル系粘着剤、天然ゴム系粘着剤、合成ゴム系粘着剤、シリコーン系粘着剤、ビニルエーテル系粘着剤などを用いることができ、これらのうち粘着特性の調整が容易であることや、低皮膚刺激性であることなどから、アクリル系粘着剤を用いることが好ましい。具体的には、（メタ）アクリル酸アルキルエステルを主成分単量体として、これに共重合可能な単量体を共重合させ、必要に応じて各種架橋剤による化学的架橋や、電子線や紫外線などの放射線照射による物理的架橋を施したアクリル系粘着剤を用いることが好ましい。
【００１８】
主成分単量体としての（メタ）アクリル酸アルキルエステルとしては、炭素数２〜１２のアルキル基を有する（メタ）アクリル酸アルキルエステルを４０〜９９重量％、好ましくは４０〜６０重量％の範囲で用いることができ、共重合可能な単量体としては、（メタ）アクリル酸などのカルボキシル基含有単量体、（メタ）アクリル酸２−ヒドロキシエチルエステルなどのヒドロキシル基含有単量体、（メタ）アクリル酸２−メトキシエチルエステルなどのアルコキシル基含有単量体、２−ビニルピロリドンなどの酸アミド基含有単量体のほか、酢酸ビニルやアミノ基含有単量体などを、目的に応じて適宜一種以上選択して１〜６０重量％の範囲で共重合させることができる。
【００１９】
布基材の片面に形成する上記粘着剤層の厚さは、皮膚への追従性や固定性などを考慮して適宜決定されることが好ましいが、例えば、１０〜１８０μｍ、好ましくは１５〜１５０μｍ、さらに好ましくは２０〜８０μｍ程度に設定することが望ましい。また、粘着剤層は、布基材全面に設けられていてもよいし、ドット状や条状、パターン状などの部分的に設けられていてもよい。条状に設ける場合は、通気路として機能する空間が確保されていれば特に限定されることはないが、例えば、直線状や波状、山状、鋸歯状、これらを組み合わせた形状などが挙げられる。これらのうち、皮膚接着力の確保や端縁部の捲れ防止などの点から波状が好ましい。
【００２０】
本発明の伸縮性粘着包帯は、上記のように布基材の片面に粘着剤層を積層し、この粘着剤層の表面に剥離ライナーを積層して粘着面を被覆保護したものであり、ロール状に巻回して提供する。
【００２１】
剥離ライナーとしては、一般的に皮膚へ貼付する医療用粘着テープなどに用いられるものを使用することができる。具体的には、上質紙、グラシン紙、パーチメント紙などの表面に、シリコーン樹脂やフッ素樹脂などの剥離性能を有する剥離剤をコーティング処理したものや、上質紙にレジンをアンカーコートしたもの、またはポリエチレン樹脂などをラミネートした基材の表面にシリコーン樹脂やフッ素樹脂などの剥離性能を有する剥離剤をコーティング処理したものを使用することができる。
【００２２】
なお、上記剥離ライナーには所定間隔（例えば５ｃｍ間隔など）で印刷ラインを入れておくことで、ハサミなどで素早く必要な長さに定尺カットすることができるので好ましいものである。
【実施例】
【００２３】
以下に本発明の実施例を示して本発明をさらに具体的に説明するが、何らこれらに限定されるものではなく、本発明の技術的思想を逸脱しない範囲内で種々の応用が可能である。なお、以下において「％」は「重量％」を示す。
【００２４】
＜実施例および比較例＞
表１に示す実施例品および比較例品を作製した。なお、各サンプルに用いる布基材は、糸の材質や編み方によって各種特性値を調整した。
【００２５】
各実施例および比較例に示す伸縮性粘着包帯は、片面にシリコーン樹脂からなる剥離剤で剥離処理した剥離ライナーの剥離処理面に、乾燥後の厚みが７０μｍの粘着剤層を形成し、この粘着剤層を布基材の片面に転写することによって作製し、これを剥離ライナーが外側になるようにロール状に巻回してロール状の伸縮性粘着包帯とした。
【００２６】
【表１】
2014155879.tif 000002
【００２７】
上記にて作製した実施例品および各比較例品について、以下の試験を実施した。結果を表２に示す。
【００２８】
＜医療器具固定性＞
医療器具としての経口挿管チューブモデルに伸縮性粘着包帯を貼着固定して経口挿管チューブの固定性試験を行なった。
具体的には、経口挿管練習用の顔面モデルに、１０ｍｍφのチューブを気道挿管し、チューブの周囲に２０ｍｍ幅に裁断した２本の伸縮性粘着包帯を巻き付けながら顔面モデル上に貼付した。次いで、顔面モデルから手でチューブを引き抜く操作を行ない、粘着包帯が剥がれるまでのチューブが抜けた長さ（抜管長さ）を測定した。
抜管長さが１０ｍｍ以下であれば○（許容範囲）、１０ｍｍを超えた場合は×（不可）と判定した。
【００２９】
＜皮膚追従性＞
被験者男性４名に貼付した伸縮性粘着包帯が、皮膚面の伸縮に追従する程度を試験した。
具体的には、被験者の肘部外側に、伸縮性粘着包帯（長さ５０ｍｍ、幅２０ｍｍ）の長さ方向を肘の屈曲方向に合わせて貼付した。なお、貼付時には肘を伸ばした状態にした。
次いで、肘部を屈曲させて突っ張り感および不快感を、突っ張り感があって不快感を示す場合を１点とし、一般的に気にならない程度を３点、突っ張り感がなく不快感もない場合を５点として５段階評価し、被験者４名の平均点を求めた。
被験者４名の評価点の平均値が３点以上であれば○（許容範囲）、３点未満であれば×（不可）と判定した。
【００３０】
【表２】
2014155879.tif 000003
【００３１】
上記表２の結果から明らかなように、実施例品は縦方向（長さ方向）の伸び率を低くし、横方向（幅方向）の伸び率を大きく設定しているので、医療器具の固定性および皮膚追従性のバランスが取れていることが明らかである。